(57)【要約】【課題】保湿性や防腐性に優れたインクジェット記録装置用メンテナンス液を提供するものである。【解決手段】本発明に係るインクジェット記録装置用メンテナンス液は、複数種のインクを使い分けて、前記複数種のインクを吐出するノズルが設けられたヘッドを備えたインクジェット記録装置に用いるメンテナンス液であって、前記複数種のインクは、いずれも、水と、水溶性有機溶媒と、樹脂成分と、を含み、前記メンテナンス液は、水と、水溶性有機溶媒と、を含み、前記メンテナンス液に含まれる水溶性有機溶媒の沸点は、前記複数種のインクにおいて、それぞれのインクに含まれる最も沸点の高い水溶性有機溶媒のうち、最も沸点の低い水溶性有機溶媒の沸点以下である。【選択図】図１
2011224943.tif 000002
【特許請求の範囲】
【請求項１】
複数種のインクを使い分けて、前記複数種のインクを吐出するノズルが設けられたヘッドを備えたインクジェット記録装置に用いるメンテナンス液であって、
前記複数種のインクは、いずれも、水と、水溶性有機溶媒と、樹脂成分と、を含み、
前記メンテナンス液は、水と、水溶性有機溶媒と、を含み、
前記メンテナンス液に含まれる水溶性有機溶媒の沸点は、前記複数種のインクにおいて、それぞれのインクに含まれる最も沸点の高い水溶性有機溶媒のうち、最も沸点の低い水溶性有機溶媒の沸点以下である、インクジェット記録装置用メンテナンス液。
【請求項２】
請求項１において、
前記メンテナンス液に含まれる水溶性有機溶媒の沸点は、前記複数種のインクにおいて、それぞれのインクに含まれる最も沸点の高い水溶性有機溶媒のうち、最も沸点の低い水溶性有機溶媒の沸点と同一である、インクジェット記録装置用メンテナンス液。
【請求項３】
請求項１または請求項２において、
前記複数種のインクにおいて、それぞれのインクに含まれる最も沸点の高い水溶性有機溶媒のうち、最も沸点の低い水溶性有機溶媒の沸点は、１００℃以上２５０℃未満である、インクジェット記録装置用メンテナンス液。
【請求項４】
請求項１ないし請求項３のいずれか１項において、
前記メンテナンス液に含まれる水溶性有機溶媒は、アルカンジオールおよびアルキレングリコールモノエーテル誘導体から選択される少なくとも１種である、インクジェット記録装置用メンテナンス液。
【請求項５】
請求項４において、
前記アルカンジオールは、１，２−ヘキサンジオールである、インクジェット記録装置用メンテナンス液。
【請求項６】
請求項１ないし請求項５のいずれか１項において、
さらに、前記メンテナンス液は、水溶性着色剤を含む、インクジェット記録装置用メンテナンス液。
【請求項７】
請求項１ないし請求項６のいずれか１項において、
前記ノズルは、前記複数種のインク毎に設けられおり、
前記インクジェット記録装置は、前記複数種のインク毎に設けられた前記ノズルを一括して覆って保湿するための第１キャップ装置と、
前記第１キャップ装置に前記メンテナンス液を供給する第１メンテナンス液供給装置と、
を有する、インクジェット記録装置用メンテナンス液。
【請求項８】
請求項７において、
さらに、前記インクジェット記録装置は、前記複数種のインク毎に設けられた前記ノズルを覆って該ノズルから吐出される前記インクを受けるための第２キャップ装置と、
前記第２キャップ装置に接続され前記インクを吸引する吸引装置と、
前記第２キャップ装置を覆って保湿する第３キャップ装置と、
前記第３キャップ装置に前記メンテナンス液を供給する第２メンテナンス液供給装置と、
を有する、インクジェット記録装置用メンテナンス液。
【請求項９】
請求項１ないし請求項８のいずれか１項において、
前記メンテナンス液は、前記複数種のインクを記録媒体の種類に応じて使い分けるインクジェット記録装置に用いられる、インクジェット記録装置用メンテナンス液。
【発明の詳細な説明】
【技術分野】
【０００１】
本発明は、インクジェット記録装置用メンテナンス液に関する。
【背景技術】
【０００２】
インク吸収性の普通紙や、インク非吸収性のプラスチックフィルム等、特性の異なる様々な記録媒体に対して印刷可能なインクジェット記録装置が、特に産業分野において求められている。このようなインクジェット記録装置は、予め複数種のインクを充填したヘッド備えることで、記録媒体を換える毎に記録媒体に適したインクを選択的に吐出して印刷を行うことで実現される。
【０００３】
例えば、インク吸収性の記録媒体に対する印刷では、インクの発色性を向上させるために、インク中の顔料濃度を高めたインクが使用される。インク中の顔料濃度を高めると、インクジェットヘッドから吐出されたインクがヘッドのノズル近傍に付着しやすく、付着したインクが乾燥固化すると吐出不良や飛行曲がり等が発生する。このような顔料の固着による不具合は、インク中にグリセリン等の高沸点有機溶媒を添加することで効果的に防止することができる。
【０００４】
一方、インク非吸収性の記録媒体にも、近年の地球環境への影響を考慮して、水を主溶媒としたインクが用いられている。インク非吸収性の記録媒体に対して、グリセリン等の高沸点有機溶媒を添加したインクを用いると、記録媒体に形成された画像の乾燥性や耐擦性が低下することがある。そのため、プラスチックフィルム等のインク非吸収性の記録媒体に対してはグリセリン等の高沸点有機溶媒を含有しないインクが好ましい。
【０００５】
このように、記録媒体の種類などの印刷条件によっては、インクにグリセリン等の高沸点有機溶媒を添加することが好ましくない。そのため、グリセリン等の高沸点有機溶媒の添加量が少ない、もしくは、グリセリン等の高沸点有機溶媒が添加されていない乾燥しやすいインクが、ヘッドのノズル内で増粘することにより、ノズルの目詰まりが発生して、インクの吐出を良好に行えなくなる場合がある。
【０００６】
以上のようなインクの吐出不良を抑制するために、インクジェット記録装置を長期間使用しない場合に、ヘッド内のインクを保湿液で置き換えることによって、ヘッドの乾燥を防止することが提案されている（例えば、特許文献１）。
【０００７】
また、印刷処理を行っていない状態において、ヘッドを保湿用キャップ装置で覆うとともに、保湿用キャップ装置内の空間に保湿液を供給してヘッドを保湿し、残留インクの乾燥を抑制するインクジェット記録装置が提案されている（例えば、特許文献２）。
【０００８】
特許文献１および特許文献２で用いる保湿液としては、水のみを添加したものや、水とグリセリン等の高沸点の有機溶媒等を添加したものが提案されている。
【先行技術文献】
【特許文献】
【０００９】
【特許文献１】特許第３９１１９２８号公報
【特許文献２】特開２００３−３３４９６２号公報
【発明の概要】
【発明が解決しようとする課題】
【００１０】
しかしながら、上記のような保湿液は、長期間の使用により腐敗する場合があった。
【００１１】
さらに、上述のような複数種のインクを充填したヘッド備えるインクジェット記録装置において、保湿液が供給された保湿用キャップ装置を使用しても、一部のインクを充填したノズルが目詰まりすることが確認された。これは、グリセリン等の高沸点有機溶媒を含有する保湿液を使用した場合、保湿キャップ内の保湿液が、一部のインクを充填したノズルから水分を吸収して、ノズルの目詰まりの原因となるためである。
【００１２】
本発明のいくつかの態様にかかる目的の１つは、複数種のインクを使い分けて、複数種のインクを吐出するノズルが設けられたヘッドを備えたインクジェット記録装置において、保湿性や防腐性に優れたインクジェット記録装置用メンテナンス液を提供するものである。
【課題を解決するための手段】
【００１３】
本発明は前述の課題の少なくとも一部を解決するためになされたものであり、以下の態様または適用例として実現することができる。
【００１４】
［適用例１］
本発明に係るインクジェット記録装置用メンテナンス液の一態様は、
複数種のインクを使い分けて、前記複数種のインクを吐出するノズルが設けられたヘッドを備えたインクジェット記録装置に用いるメンテナンス液であって、
前記複数種のインクは、いずれも、水と、水溶性有機溶媒と、樹脂成分と、を含み、
前記メンテナンス液は、水と、水溶性有機溶媒と、を含み、
前記メンテナンス液に含まれる水溶性有機溶媒の沸点は、前記複数種のインクにおいて、それぞれのインクに含まれる最も沸点の高い水溶性有機溶媒のうち、最も沸点の低い水溶性有機溶媒の沸点以下である。
【００１５】
適用例１のインクジェット記録装置用メンテナンス液によれば、メンテナンス液に含まれる水溶性有機溶媒の沸点が、前記複数種のインクにおいて、それぞれのインクに含まれる最も沸点の高い水溶性有機溶媒のうち、最も沸点の低い水溶性有機溶媒の沸点以下である。これにより、メンテナンス液に含まれる水溶性有機溶媒がノズルを十分に保湿することができ、ノズルの目詰まりを低減することができる。
【００１６】
［適用例２］
適用例１において、
前記メンテナンス液に含まれる水溶性有機溶媒の沸点は、前記複数種のインクにおいて、それぞれのインクに含まれる最も沸点の高い水溶性有機溶媒のうち、最も沸点の低い水溶性有機溶媒の沸点と同一であることができる。
【００１７】
適用例２のインクジェット記録装置用メンテナンス液によれば、メンテナンス液に含まれる水溶性有機溶媒がインクに混入しても、インクの機能を損なうことを低減することができる。
【００１８】
［適用例３］
適用例１または適用例２において、
前記複数種のインクにおいて、それぞれのインクに含まれる最も沸点の高い水溶性有機溶媒のうち、最も沸点の低い水溶性有機溶媒の沸点は、１００℃以上２５０℃未満であることができる。
【００１９】
適用例３のインクジェット記録装置に用いるメンテナンス液によれば、インクの乾燥性が良好であり、耐擦性に優れた画像を得ることができる。
【００２０】
［適用例４］
適用例１ないし適用例３のいずれか１例において、
前記メンテナンス液に含まれる水溶性有機溶媒は、アルカンジオールおよびアルキレングリコールモノエーテル誘導体から選択される少なくとも１種であることができる。
【００２１】
適用例４のインクジェット記録装置に用いるメンテナンス液によれば、メンテンス液の防腐性を高めることができる。
【００２２】
［適用例５］
適用例４において、
前記アルカンジオールは、１，２−ヘキサンジオールであることができる。
【００２３】
適用例５のインクジェット記録装置に用いるメンテナンス液によれば、メンテンス液の防腐性をより向上させることができる。
【００２４】
［適用例６］
適用例１ないし適用例５のいずれか１例において、
さらに、前記メンテナンス液は、水溶性着色剤を含むことができる。
【００２５】
適用例６のインクジェット記録装置に用いるメンテナンス液によれば、視認性に優れたメンテナンス液を得ることができる。
【００２６】
［適用例７］
適用例１ないし適用例６のいずれか１例において、
前記ノズルは、前記複数種のインク毎に設けられおり、
前記インクジェット記録装置は、前記複数種のインク毎に設けられた前記ノズルを一括して覆って保湿するための第１キャップ装置と、
前記第１キャップ装置に前記メンテナンス液を供給する第１メンテナンス液供給装置と、
を有することができる。
【００２７】
適用例７のインクジェット記録装置に用いるメンテナンス液によれば、メンテナンス液が供給された第１キャップ装置によってすべてのノズルを一括して覆うことができる。そのため、ノズルを容易に保湿することができるので、ノズルからインクを安定的に吐出することができる。
【００２８】
［適用例８］
適用例８において、
さらに、前記インクジェット記録装置は、前記複数種のインク毎に設けられた前記ノズルを覆って該ノズルから吐出される前記インクを受けるための第２キャップ装置と、
前記第２キャップ装置に接続され前記インクを吸引する吸引装置と、
前記第２キャップ装置を覆って保湿する第３キャップ装置と、
前記第３キャップ装置に前記メンテナンス液を供給する第２メンテナンス液供給装置と、
を有することができる。
【００２９】
適用例８のインクジェット記録装置に用いるメンテナンス液によれば、メンテナンス液の供給された第３キャップ装置によって第２キャップ装置を十分に保湿することができるので、インクの吸引性に優れており、第２キャップ装置の動作不良を低減することができる。
【００３０】
［適用例９］
適用例１ないし適用例８のいずれか１例において、
前記メンテナンス液は、前記複数種のインクを記録媒体の種類に応じて使い分けるインクジェット記録装置に用いられることができる。
【００３１】
適用例９のインクジェット記録装置に用いるメンテナンス液によれば、記録媒体の種類に応じて様々な種類のインクを用いても、ヘッドに設けられたノズルを十分に保湿でき、ノズルの目詰まりやキャップ装置の動作不良等を低減することができる。
【図面の簡単な説明】
【００３２】
【図１】本実施形態に係るメンテナンス液に適用可能なインクジェット記録装置の概略構成を示す説明図。
【図２】図１におけるインクジェット記録装置の電源オフ状態でのホームポジションＨ１付近の詳細構成を示す説明図。
【図３】図１におけるインクジェット記録装置の印刷処理実行中のホームポジションＨ１付近の詳細構成を示す説明図。
【図４】図１におけるインクジェット記録装置の吸引回復処理実行中のホームポジションＨ１付近の詳細構成を示す説明図。
【図５】図１におけるインクジェット記録装置の吸引回復処理実行中のホームポジションＨ１付近の詳細構成を示す説明図。
【発明を実施するための形態】
【００３３】
以下に本発明の好適な実施の形態について説明する。以下に説明する実施の形態は、本発明の一例を説明するものである。また、本発明は、以下の実施の形態に限定されるものではなく、本発明の要旨を変更しない範囲において実施される各種の変形例も含む。
【００３４】
１．インクジェット記録装置
本発明に係るインクジェット記録装置用メンテナンス液（以下、単に「メンテナンス液」ともいう。）は、複数種のインクを使い分けて、前記複数種のインクを吐出するノズルが設けられたヘッドを備えたインクジェット記録装置に用いるメンテナンス液であって、前記複数種のインクは、いずれも、水と、水溶性有機溶媒と、樹脂成分と、を含み、前記メンテナンス液は、水と、水溶性有機溶媒と、を含み、前記メンテナンス液に含まれる水溶性有機溶媒の沸点は、前記複数種のインクにおいて、それぞれのインクに含まれる最も沸点の高い水溶性有機溶媒のうち、最も沸点の低い水溶性有機溶媒の沸点以下である。
【００３５】
以下、本実施形態に係るメンテナンス液を適用可能なインクジェット記録装置について詳細に説明する。
【００３６】
図１は、本実施形態に係るメンテナンス液を適用可能なインクジェット記録装置（以下、単に「インクジェット記録装置」ともいう。）の一例を示す概略図である。図１の例では、インクジェット記録装置１００は、フレーム１０を有している。フレーム１０には、プラテン２４が配置されている。プラテン２４上には、図示しない紙送り機構が設けられ、これにより印刷用紙Ｐ１が配送される構成となっている。
【００３７】
本実施形態に係るインクジェット記録装置は、キャリッジを有することができる。図１の例では、キャリッジ１２は、ガイド部材２２を介してプラテン２４の長手方向（Ｘ軸方向）へ移動可能に支持され、キャリッジモーター２０によりタイミングベルト１８を介して往復運動される構成となっている。
【００３８】
キャリッジ１２には、インクを収容したインクカートリッジ１４が搭載されている。インクカートリッジ１４は、独立した複数の容器からなることができる。また、本実施形態に係るインクジェット記録装置１００は、複数種のインクを使い分けて使用するものである。複数種のインクは、記録媒体の種類に応じて使い分けることができ、記録媒体に適したインクを用いて記録媒体上に画像を印刷することができる。例えば、インク吸収性の記録媒体上に画像を印刷する場合には、ノズルの保湿性を高めるために、保湿性の高い比較的高沸点の水溶性有機溶媒を含有するインクを用いて記録を行う。また、インク非吸収性の記録媒体に記録を行う場合には、記録媒体上でのインクの乾燥性を高めるために、上記のインク吸収性の記録媒体への記録に用いるインクに含有する水溶性有機溶媒よりも低沸点の水溶性有機溶媒を含有するインクを用いて記録を行う。
【００３９】
なお、インクジェット記録装置１００は、記録媒体選択受付手段と、記録媒体選択手段と、インク選択手段と、を有していてもよい。記録媒体選択受付手段は、ユーザーからの記録媒体選択操作を受け付ける。記録媒体選択手段は、記録媒体選択受付手段で受け付けたユーザーからの記録媒体選択操作に基づいて記録媒体を選択する。インク選択手段は、用紙選択手段によって選択された記録媒体に基づいて、インクを選択する。これにより、ユーザーの選択した記録媒体に適したインクが選択され、記録媒体上に画像を記録することができる。
【００４０】
記録媒体選択受付手段は、例えば、インクジェット記録装置１００の本体に設けられた操作ボタン（図示省略）であってもよい。また、記録媒体選択受付手段は、例えば、インクジェット記録装置１００に接続されるＰＣ等に対して行うユーザーの記録媒体選択操作に基づく制御信号を受け付ける入力端子（図示省略）であってもよい。
【００４１】
なお、複数種のインクは、記録媒体に応じて切り替えて使用することに限らず、他の印刷条件や、印刷データに応じて切り替えて使用してもよい。例えば、記録媒体上に画像を記録した後に、ヒーターなどの乾燥手段で記録媒体を乾燥させる機構を備えたインクジェット記録装置の場合には、乾燥手段における乾燥条件（乾燥温度等）によって、インクを使い分けても良い。
【００４２】
あるいは、複数種のインクを同時に使用する場合には、印刷データに基づいてインクを使い分けてもよい。
【００４３】
また、キャリッジ１２の下部には、図示しない吐出ヘッド（以下、単に「ヘッド」ともいう。）が搭載されている。ヘッドにはインクを吐出するノズル（図示省略）が備えられている。キャリッジ１２は、プラテン２４に沿って移動することで、印刷用紙Ｐ１上を往復するようにヘッドを搬送する。このとき、ヘッドに備えられたノズルからインクが吐出されて印刷処理が実行される。なお、ノズルは、複数種のインク毎に備えられることができ、ノズル毎に対応するインクを充填することができる。これにより、印刷条件や印刷データなどによって、複数種のインクを使い分けることができる。
【００４４】
図１の例では、フレーム１０におけるヘッドからインクを吐出可能な領域（以下、「印刷領域」と呼ぶ。）ＰＡの横は、インクが吐出されない非印刷領域となっており、この非印刷領域内にホームポジションＨ１が設けられている。キャリッジ１２は、これら印刷領域ＰＡとホームポジションＨ１との間を移動可能に構成されている。
【００４５】
本実施形態に係るインクジェット記録装置は、第１キャップ装置と、第１メンテナンス液供給装置と、を有することができる。図１の例では、第１キャップ装置４０は、ホームポジションＨ１に配置されている。また、請求項における第１メンテナンス液供給装置は、図１の例では、ホームポジションＨ１に配置された第１メンテナンス液タンク６０、チューブ６２、および第１メンテナンス液昇降手段７０から構成されている。
【００４６】
また、本実施形態に係るインクジェット記録装置は、第２キャップ装置と、吸引装置と、第３キャップ装置と、第２メンテナンス液供給装置と、を有することができる。図１の例では、第２キャップ装置３００、吸引装置３２０、および第３キャップ装置２００は、ホームポジションＨ１に配置されている。また、請求項における第２メンテナンス液供給装置は、図１の例では、ホームポジションＨ１に配置された第２メンテナンス液タンク４００、チューブ４０２、および第２メンテナンス液昇降手段４１０から構成されている。
【００４７】
第１キャップ装置４０は、電源オフの状態においてヘッドの吐出面（ノズルを備えた面）を覆うように配置されるが、これは以下の理由による。印刷処理やフラッシング処理（印刷処理とは別に、全てのノズルから所定量のインクを吐出して増粘インク等を除去する処理）や吸引回復処理（ノズル内の残留インクを吸引する処理）等の後において、ヘッドの吐出面やノズル内部にインク滴が付着したままとなる場合がある。この場合、吐出面等に付着したインクが乾燥するとノズル孔を塞いで吐出不良の原因となり得る。そこで、この吐出面等に付着したインクを乾燥させないようにするために、電源オフ時には、ヘッド（図示省略）がホームポジションに配置され、第１キャップ装置４０でヘッド（図示省略）の吐出面を覆うようにしている。具体的には、第１キャップ装置４０は、複数種のインク毎に設けられ各インクを吐出するノズルを一括して覆うことができる。
【００４８】
このように、本実施形態に係るインクジェット記録装置は、ヘッドの吐出面（ノズルを備える面）の保湿を容易に行うという観点から第１キャップ装置および第１メンテナンス液供給装置を備えていることが好ましい。なお、本実施形態に係るインクジェット記録装置は、ヘッドの吐出面（ノズルを備える面）の保湿を容易に行うという観点に基づくと、第２キャップ装置、第２メンテナンス液供給装置、および第３キャップ装置を備えていなくてもよい。
【００４９】
第１メンテナンス液タンク６０の内部にはメンテナンス液が貯留されている。第１メンテナンス液タンク６０は、第１キャップ装置４０に対してヘッドの吐出面（ノズルを備える面）を保湿するためのメンテナンス液（後述）を供給する。なお、ヘッドの吐出面（ノズルを備える面）は、第１キャップ装置４０によって覆われることで保湿されるが、第１キャップ装置４０内にメンテナンス液（後述）等を供給すると、ヘッドの吐出面（ノズルを備える面）をより効果的に保湿できる。
【００５０】
一方、第２キャップ装置３００は、フラッシング処理時や吸引回復処理時において、ヘッドの吐出面を覆うように配置され、ヘッドから排出されるインクを受けるものである。なお、インクジェット記録装置１００は、フラッシング処理および吸引回復処理の少なくとも一方を備えていればよい。
【００５１】
吸引装置３２０は、吸引用チューブ３１０を介して第２キャップ装置３００と接続されており、ヘッドに設けられたノズル内のインクを吸引して取り除く吸引回復処理を行ったり、第２キャップ装置３００に排出されたインクを取り除くための装置である。吸引装置３２０は、第２キャップ装置３００内部を負圧として、ノズル内の残留インクを強制的に吐出させ排出させたり、第２キャップ装置３００に排出されたインクを吸引することができる。
【００５２】
第３キャップ装置２００は、第２キャップ装置３００を保湿するためのものである。第２キャップ装置３００を保湿するのは、以下の理由による。第２キャップ装置３００を保湿しないと、吸引回復処理やフラッシング処理時において第２キャップ装置３００に吐出されたインクが乾燥して増粘する場合がある。これにより、第２キャップ３００に配置されたインクを吸着する部材（スポンジ等）や吸引用チューブ３１０の目詰まりが発生して、インクの吸着力や吸引力の低下を招く場合がある。特に、後述するプラスチックフィルムへの印刷のために乾燥性を向上させたインクを用いると、インクジェット記録装置が稼働している数時間という短期間で、第２キャップ装置３００内の残留インクが大気に開放されることによって乾燥固化する場合がある。そのため、第２キャップ装置３００を保湿することが好ましい。
【００５３】
このように、本実施形態に係るインクジェット記録装置は、第１キャップ装置および第１メンテナンス液供給装置に加えて、ノズル内のインクの増粘を防止するという観点から第２キャップ装置を備えており、かつ、第２キャップ装置を保湿するという観点から第２メンテナンス液供給装置および第３キャップ装置を備えていることがより好ましい。
【００５４】
第２メンテナンス液タンク４００の内部にはメンテナンス液が貯留されている。第２メンテナンス液タンク４００は、第３キャップ装置２００に対して第２キャップ装置３００を保湿するためのメンテナンス液（後述）を供給する。第２メンテナンス液タンク４００に用いるメンテナンス液（後述）は、第１メンテナンス液タンク６０に用いるメンテナンス液（後述）と同様のものを用いることができる。
【００５５】
図２は、電源オフ状態でのホームポジションＨ１付近の構成を示す断面図である。プリンタ１００の電源オフの状態において、キャリッジ１２は、ホームポジションＨ１に配置される。なお、電源オンの状態においても、印刷処理やフラッシング処理を実行していない状態（待機状態）においては、キャリッジ１２と第１キャップ装置４０とは、図２に示す配置となっている。
【００５６】
図２の例では、第１メンテナンス液タンク６０と第１キャップ装置４０とは、チューブ６２によって接続されている。チューブ６２の一端は第１メンテナンス液タンク６０の内部に接続されており、チューブ６２内部には、第１メンテナンス液タンク６０内の貯留液Ｗ１が入り込んでいる。ここで、第１メンテナンス液タンク６０内の貯留液Ｗ１の水頭はフレーム底面１０ｇから高さｈ１の位置となっている。第１メンテナンス液タンク６０の下には、第１メンテナンス液タンク昇降手段７０が配置されている。第１メンテナンス液タンク昇降手段７０は、第１メンテナンス液タンク６０内の貯留液Ｗ１が第１キャップ装置４０に供給されて減っても、貯留液Ｗ１の水頭がほぼ高さｈ１を維持するように第１メンテナンス液タンク６０の位置を調整する。このような第１メンテナンス液タンク昇降手段７０としては、例えば、バネで構成することができる。この場合、貯留液Ｗ１が減るにしたがって第１メンテナンス液タンク６０全体の重量が減るので、第１メンテナンス液タンク６０全体が上昇して水頭の位置が高さｈ１を維持することができる。
【００５７】
図２の例では、第１キャップ装置４０は、キャップホルダ４２と、キャップホルダ４２上に配置されＺ軸方向に突出したキャップ部４４と、キャップ部４４で囲まれた空間の底部に配置されたシート状の吸収材４６と、を備えている。第１キャップ装置４０は、２つの支持部材４８ａ，４８ｂによって下方から支えられている。これら２つの支持部材４８ａ，４８ｂは、フレーム１０（図１）に設けられたスライド用孔５５０を介して移動機構５００に接続されており、移動機構５００は、２つの支持部材４８ａ，４８ｂを上下左右にスライドさせることにより、第１キャップ装置４０を上下左右に移動させることができる。なお、移動機構５００は、スライド用孔５５０の奥（フレーム１０の外部）に配置されている。
【００５８】
例えば、印刷終了後にキャリッジ１２が印刷領域ＰＡからホームポジションＨ１に戻ってきて待機状態に移行する際に、支持部材４８ａ，４８ｂを上昇させることにより、第１キャップ装置４０を上昇させる。そうすると、キャリッジ１２の底面Ｓ１にキャップ部４４が当接し、底面Ｓ１とキャップ部４４と吸収材４６とで囲まれた略密閉された空間ＡＲ１が形成される。このとき、吸収材４６にはメンテナンス液が保持されており、かかるメンテナンス液が蒸発して空間ＡＲ１を加湿する。したがって、ヘッド１６の吐出面Ｓ２やノズル（図示省略）内に残留するインクの乾燥を防ぎ、残留インクの増粘を抑えることができる。
【００５９】
ここで、電源オフ状態（待機状態）では、吸収材４６の上面Ｓ３の高さｈ０は、メンテナンス液タンク６０内の貯留液Ｗ１の水頭の高さｈ１よりも高い。したがって、この状態においては、第１メンテナンス液タンク６０から第１キャップ装置４０に貯留液Ｗ１が液体として供給されることはない。但し、チューブ６２内に入り込んだ貯留液Ｗ１は蒸発して、ごくわずかなメンテナンス液が吸収材４６に供給される。
【００６０】
キャップ部４４は、例えば、合成ゴムで構成することができる。チューブ６２の一端は、キャップ部４４を貫通して吸収材４６に達している。吸収材４６としては、例えば、ウレタンやＰＶＡ（ポリビニルアルコール）スポンジや不織布など水を保持可能な任意の部材を用いることができる。なお、第１キャップ装置４０は、シート状の吸収材４６を備えていなくてもよく、メンテナンス液を直接第１キャップ装置４０内部に供給してもよい。
【００６１】
また、第１キャップ装置４０は、第１キャップ装置４０内部に供給されたメンテナンス液（後述）を加熱する加熱装置を有していてもよい。これにより、メンテナンス液をより効果的に蒸発させることができ、空間ＡＲ１を効率よく加湿することができる。加熱装置を設置する位置としては、第１キャップ装置４０に供給されるメンテナンス液を十分加熱できるのであれば特に限定されるものではない。加熱装置としては、公知の加熱機構を有するものを用いることができ、例えば、電熱ヒーター等を用いることができる。この場合、第１キャップ装置４０を構成する部材の少なくとも一部は、耐熱性及び熱伝導性の点から、アルミニウムまたはアルミニウム合金であることが好ましい。
【００６２】
また、第１キャップ装置４０は、第１キャップ装置４０内部に供給されたメンテナンス液（後述）の液量を検出する為に、光学センサーを有していてもよい。これにより、第１キャップ装置４０におけるメンテナンス液の液量を的確にコントロールすることができる。光学センサーを設置する位置としては、第１キャップ装置４０におけるメンテナンス液の液量を検出できるのであれば特に限定されるものではない。さらに、メンテナンス液に添加する着色剤の吸収波長と、光学センサーを形成する発光素子や受光素子の組み合わせを適宜選択することにより、単にメンテナンス液の液量だけではなく、メンテナンス液の水成分が蒸発して着色剤が濃縮されることによるメンテナンス液の劣化や、メンテナンス液以外の液体の添加（例えば水だけ）等を受光素子の受光強度から特定することもできる。光学センサーとしては、公知の光学センサーを用いることができ、例えば、反射型フォトセンサーや、回帰反射型フォトセンサー、又は分離型フォトセンサー等を用いることができる。
【００６３】
図２の例では、第３キャップ装置２００は、第１キャップ装置４０とほぼ同じ構成を有している。すなわち、第３キャップ装置２００は、キャップホルダ２０２と、キャップ部２０４と、吸収材２０６とを備えている。吸収材２０６の中央部には、支持部材３０５が配置されており、支持部材３０５の上部には第２キャップ装置３００が配置されている。なお、第３キャップ装置２００は、シート状の吸収材２０６を備えていなくてもよく、メンテナンス液を直接第３キャップ装置２００内部に供給してもよい。
【００６４】
第２キャップ装置３００の構成は、メンテナンス液タンクと接続されていない点と吸引装置３２０に接続されている点とにおいて第１キャップ装置４０と異なり、他の構成は同様である。
【００６５】
図２の例では、第３キャップ装置２００は、第１キャップ装置と同様に、２つの支持部材２０８ａ，２０８ｂによって下方から支えられている。これら２つの支持部材２０８ａ，２０８ｂは、スライド用孔５５０を介して移動機構５００に接続されている。移動機構５００は、２つの支持部材２０８ａ，２０８ｂを上下にスライドさせることにより、第３キャップ装置２００を上下に移動させることができる。
【００６６】
第２メンテナンス液タンク４００内には、保湿液としてのメンテナンス液が貯留液Ｗ３として溜められている。そして、第１メンテナンス液タンク６０と同様に、第２メンテナンス液タンク４００は、チューブ４０２を介して第３キャップ装置２００（吸収材２０６）に接続され、また、第２メンテナンス液タンク４００の下には、第２メンテナンス液タンク昇降手段４１０が配置されている。第２メンテナンス液タンク昇降手段４１０は、第１メンテナンス液タンク昇降手段７０と同様に、第２メンテナンス液タンク４００内の貯留水Ｗ３の水頭がほぼ高さｈ１１を維持するように第２メンテナンス液タンク４００の位置を調整することができる。
【００６７】
電源オフ状態及び待機状態において、第３キャップ装置２００は、キャップ部２０４によって第１キャップ装置４０の底面（キャップホルダ４２の底面）に当接している。したがって、キャップホルダ４２の底面とキャップ部２０４と吸収材２０６とで囲まれた略密閉された空間ＡＲ３が形成されている。そして、吸収材２０６に吸収されていた水分が蒸発することで空間ＡＲ３は加湿され、第２キャップ装置３００内に吐出されたインクの乾燥を抑制することができる。なお、電源オフ状態（待機状態）において、吸収材２０６の上面Ｓ４の高さｈ１０は、第２メンテナンス液タンク４００内の貯留水Ｗ３の水頭の高さｈ１１よりも高いので、第２メンテナンス液タンク４００から吸収材２０６に貯留水Ｗ３は供給されない。
【００６８】
また、第３キャップ装置２００は、第３キャップ装置２００内部に供給されたメンテナンス液（後述）を加熱する加熱装置を有していてもよい。これにより、メンテナンス液をより効果的に蒸発させることができ、空間ＡＲ３を効率よく加湿することができる。加熱装置を設置する位置としては、第３キャップ装置２００に供給されるメンテナンス液を十分加熱できるのであれば特に限定されるものではない。なお、第３キャップ装置２００に用いる加熱装置としては、第１キャップ装置４０と同様のものを用いることができる。この場合、第３キャップ装置２００を構成する部材の少なくとも一部は、耐熱性及び熱伝導性の点から、アルミニウムまたはアルミニウム合金であることが好ましい。
【００６９】
また、第３キャップ装置２００は、第３キャップ装置２００内部に供給されたメンテナンス液（後述）の液量を検出する為に、光学センサーを有していてもよい。これにより、第３キャップ装置２００におけるメンテナンス液の液量を的確にコントロールすることができる。光学センサーを設置する位置としては、第３キャップ装置２００におけるメンテナンス液の液量を検出できるのであれば特に限定されるものではない。さらに、メンテナンス液に添加する着色剤の吸収波長と、光学センサーを形成する発光素子や受光素子の組み合わせを適宜選択することにより、単にメンテナンス液の液量だけではなく、メンテナンス液の水成分が蒸発して着色剤が濃縮されることによるメンテナンス液の劣化や、メンテナンス液以外の液体の添加（例えば水だけ）等を受光素子の受光強度から特定することもできる。光学センサーとしては、公知の光学センサーを用いることができ、例えば、反射型フォトセンサーや、回帰反射型フォトセンサー、又は分離型フォトセンサー等を用いることができる。
【００７０】
図３は、印刷処理実行中のホームポジションＨ１付近の詳細構成を示す説明図である。印刷処理の開始時において、移動機構５００は、第１キャップ装置４０と第３キャップ装置２００とを同じ速度で同時に下降させる。その結果、空間ＡＲ３は開放せず空間ＡＲ３内の湿度は保たれる。このとき、移動機構５００は、第１キャップ装置４０の吸収材４６の上面Ｓ３の高さｈ２が、第１メンテナンス液タンク６０内の貯留液Ｗ１の水頭の高さｈ１よりも低くなるように、第１キャップ装置４０（及び第３キャップ装置２００）を下降させる。それゆえ、吸収材４６と第１メンテナンス液タンク６０内の貯留液Ｗ１の水頭との間に水頭差ｄ１（ｈ１−ｈ２）が生じ、第１メンテナンス液タンク６０から第１キャップ装置４０に貯留液Ｗ１が供給されることとなる。
【００７１】
なお、このとき、第３キャップ装置２００では、吸収材２０６の上面Ｓ４の位置は、第２メンテナンス液タンク４００内の貯留液Ｗ３の水頭の高さｈ１１よりも高い高さｈ１２となっている。したがって、第２メンテナンス液タンク４００から第３キャップ装置２００には貯留液Ｗ３は供給されない。
【００７２】
図４は、吸引回復処理実行中のホームポジションＨ１付近の詳細構成を示す説明図である。待機状態（図２）から吸引回復処理に移行する際に、移動機構５００は、まず、第１キャップ装置４０と第３キャップ装置２００とを若干下降させる。その後、移動機構５００は、第１キャップ装置４０をホームポジションＨ１から左に移動させ、また、第３キャップ装置２００をホームポジションＨ１においてさらに下降させる。このとき、移動機構５００は、吸収材２０６の上面Ｓ４の高さｈ１３が第２メンテナンス液タンク４００内の貯留液Ｗ３の水頭の高さｈ１１よりも低くなるように第３キャップ装置２００を下降させる。そうすると、吸収材２０６と第２メンテナンス液タンク４００内の貯留液Ｗ３との間に水頭差ｄ２（ｈ１１−ｈ１３）が生じ、第２メンテナンス液タンク４００から第３キャップ装置２００（吸収材２０６）に貯留液Ｗ３が供給される。
【００７３】
図５は、吸引回復処理実行中のホームポジションＨ１付近の詳細構成を示す説明図である。なお、図５では、図４に示す状態に比べて時間的に後となる状態を示している。移動機構５００は、第３キャップ装置２００を図４に示す位置まで下降させて吸収材２０６に貯留液Ｗ３を供給した後、今度は、第３キャップ装置２００を上昇させる。そして、移動機構５００は、第３キャップ装置２００のキャップ部２０４がキャリッジ１２の底面Ｓ１に当接すると、第３キャップ装置２００の上昇を停止させる。このとき、キャリッジ１２の底面Ｓ１とキャップ部２０４と吸収材２０６とで囲まれた略密閉された空間ＡＲ４が形成されている。そして、吸引装置３２０は、第２キャップ装置３００内部を負圧として、ヘッド１６のノズル（図示省略）から残留インクを吸引する。このとき、吸収材２０６の上面Ｓ４の高さｈ１４は、第２メンテナンス液タンク４００内の貯留液Ｗ３の水頭の高さｈ１１よりも高くなるように構成されており、吸収材２０６に貯留液Ｗ３は供給されない。
【００７４】
以上説明したように、第１メンテナンス液タンク６０内の貯留液Ｗ１と吸収材４６との間の水頭差ｄ１を利用して、貯留液Ｗ１を第１キャップ装置４０に供給することができる。したがって、インクジェット記録装置１００では、印刷処理のためキャリッジ１２が移動するのに先立ち第１キャップ装置４０が下降する際に、吸収材４６の上面Ｓ３が第１メンテナンス液タンク６０内の貯留液Ｗ１の水頭よりも低い位置となるように構成されている。それゆえ、吸収材４６と貯留液Ｗ１との間に水頭差が生じ、この水頭差を利用して貯留液Ｗ１を吸収材４６に供給することができる。これにより、第１キャップ装置４０に多量のメンテナンス液を供給することができ、第１キャップ装置４０内部の空間ＡＲ１を十分に加湿することが可能となる。
【００７５】
また、第２キャップ装置３００は、電源オフ状態（待機状態）の他、印刷処理実行中においても第３キャップ装置２００によって覆われて保湿されている。したがって、吸引回復処理において第２キャップ装置３００内に吐出されたインクの乾燥を抑制し、第２キャップ装置３００におけるインクの吸着能力の低下や、ノズルの吸引力の低下を抑制することができる。また、第３キャップ装置２００には、第２メンテナンス液タンク４００内の貯留液Ｗ３と吸収材２０６との間の水頭差ｄ２を利用して貯留液Ｗ３を供給することができるので、第３キャップ装置２００内部の空間ＡＲ３，ＡＲ４を十分に加湿することが可能となる。
【００７６】
２．インク
本実施形態に係るメンテナンス液を適用可能なインクジェット記録装置は、インクとして、水と、水溶性有機溶媒と、樹脂成分と、を有するものを使用する。本実施形態に係るメンテナンス液を適用可能なインクジェット記録装置に用いるインクは、記録媒体の種類に応じて、適した配合になるように調製することができる。
【００７７】
用いる記録媒体に適した配合になるように調製されたインクは、図１に示すインクジェット記録装置１００を用いる場合において、インクカートリッジ１４に収容され、ヘッド１６に設けられたノズルから印刷用紙Ｐ１（記録媒体）上に吐出される。また、印刷用紙Ｐ１を異なる素材のものに変更して印刷を開始する場合には、変更した印刷用紙に適したインクをノズルから吐出させる。
【００７８】
ヘッドに設けられたノズルから記録媒体上にインクが吐出されると、ヘッドの吐出面（ノズルが備えられた面）においてインクが残留する場合がある。そのため、印刷処理を行っていない状態においてヘッドの吐出面を適度に保湿しなければ、ヘッドの吐出面において残留インクが増粘してノズルが目詰まりして、インクの吐出を良好に行えなくなることがある。
【００７９】
そのため、本実施形態に係るメンテナンス液を適用可能なインクジェット記録装置１００を用いることによって、上記のインクに起因する不具合を解消することができる。また、上記のインクジェット記録装置１００を用いるとインクに起因した不具合を低減できるので、インクに用いる材料を選択する自由度が高まり、記録媒体に応じてインクを使い分けることが容易になる。
【００８０】
以下、本実施形態に係るメンテナンス液を適用可能なインクジェット記録装置に用いるインクに含まれる成分について説明する。
【００８１】
（１）着色剤
本実施形態に係るメンテナンス液を適用可能なインクジェット記録装置１００に用いるインクは、着色剤を含有してもよい。着色剤としては、染料や顔料等を挙げることができ、光やガス等に対して退色しにくい性質を有していることから顔料を用いることが好ましい。そのため、顔料を用いてインク非吸収性の記録媒体上に形成された画像は、耐水性、耐ガス性、耐光性等に優れ、保存性が良好となる。
【００８２】
本実施形態において使用可能な顔料としては、特に制限されないが、無機顔料や有機顔料が挙げられる。無機顔料としては、酸化チタンおよび酸化鉄に加え、コンタクト法、ファーネス法、サーマル法等の公知の方法によって製造されたカーボンブラックを使用することができる。一方、有機顔料としては、アゾ顔料（アゾレーキ、不溶性アゾ顔料、縮合アゾ顔料、キレートアゾ顔料等を含む）、多環式顔料（例えば、フタロシアニン顔料、ペリレン顔料、ペリノン顔料、アントラキノン顔料、キノフラロン顔料等）、ニトロ顔料、ニトロソ顔料、アニリンブラック等を使用することができる。
【００８３】
本実施形態で使用可能な顔料の具体例のうち、カーボンブラックとしては、ファーネスブラック、ランプブラック、アセチレンブラック、もしくはチャンネルブラック等（Ｃ．Ｉ．ピグメントブラック７）、また市販品としてＮｏ．２３００、９００、ＭＣＦ８８、Ｎｏ．２０Ｂ、Ｎｏ．３３、Ｎｏ．４０、Ｎｏ．４５、Ｎｏ．５２、ＭＡ７、ＭＡ８、ＭＡ７７、ＭＡ１００、Ｎｏ．２２００Ｂ等（以上全て商品名、三菱化学株式会社製）、カラーブラックＦＷ１、ＦＷ２、ＦＷ２Ｖ、ＦＷ１８、ＦＷ２００、Ｓ１５０、Ｓ１６０、Ｓ１７０、プリテックス３５、Ｕ、Ｖ、１４０Ｕ、スペシャルブラック６、５、４Ａ、４、２５０等（以上全て商品名、デグサ社製）、コンダクテックスＳＣ、ラーベン１２５５、５７５０、５２５０、５０００、３５００、１２５５、７００等（以上全て商品名、コロンビアカーボン社製）、リガール４００Ｒ、３３０Ｒ、６６０Ｒ、モグルＬ、モナーク７００、８００、８８０、９００、１０００、１１００、１３００、１４００、エルフテックス１２等（以上全て商品名、キャボット社製）が挙げられる。
【００８４】
また、本実施形態に係るインクをイエローインクとする場合に使用可能な顔料としては、例えば、Ｃ．Ｉ．ピグメントイエロー１、２、３、１２、１３、１４、１６、１７、７３、７４、７５、８３、９３、９５、９７、９８、１０９、１１０、１１４、１２０、１２８、１２９、１３８、１５０、１５１、１５４、１５５、１８０、１８５、２１３等が挙げられる。
【００８５】
また、本実施形態に係るインクをマゼンタインクとする場合に使用可能な顔料としては、例えば、Ｃ．Ｉ．ピグメントレッド５、７、１２、４８（Ｃａ）、４８（Ｍｎ）、５７（Ｃａ）、５７：１、１１２、１２２、１２３、１６８、１８４、２０２、２０９、Ｃ．Ｉ．ピグメントバイオレット１９等が挙げられる。
【００８６】
また、本実施形態に係るインクをシアンインクとする場合に使用可能な顔料としては、例えば、Ｃ．Ｉ．ピグメントブルー１、２、３、１５：３、１５：４、１６、２２、６０等が挙げられる。
【００８７】
また、本実施の形態に係るインクをグリーンインクとする場合に使用可能な顔料としては、例えば、Ｃ．Ｉ．ピグメントグリーン７、８、３６等が挙げられる。
【００８８】
また、本実施の形態に係るインクをオレンジインクとする場合に使用可能な顔料としては、例えば、Ｃ．Ｉ．ピグメントオレンジ４３、５１、６６等が挙げられる。
【００８９】
インクに含まれる着色剤の含有量は、インクの全質量に対して、１．５質量％以上１０質量％以下であることが好ましく、２質量％以上７質量％以下であることがより好ましい。
【００９０】
上記の顔料をインクに適用するためには、顔料が水中で安定的に分散保持できるようにする必要がある。その方法としては、水溶性樹脂および／または水分散性樹脂等の樹脂分散剤にて分散させる方法（以下、この方法により分散された顔料を「樹脂分散顔料」という。）、水溶性界面活性剤および／または水分散性界面活性剤の界面活性剤にて分散させる方法（以下、この方法により分散された顔料を「界面活性剤分散顔料」という。）、顔料粒子表面に親水性官能基を化学的・物理的に導入し、上記の樹脂あるいは界面活性剤等の分散剤なしで水中に分散および／または溶解可能とする方法（以下、この方法により分散された顔料を「表面処理顔料」という。）等が挙げられる。本実施形態に係るメンテナンス液に適用可能なインクジェット記録装置に用いられるインクは、上記の樹脂分散顔料、界面活性剤分散顔料、表面処理顔料のいずれも用いることができ、必要に応じて複数種混合した形で用いることもできる。
【００９１】
樹脂分散顔料に用いられる樹脂分散剤としては、ポリビニルアルコール類、ポリビニルピロリドン類、ポリアクリル酸、アクリル酸−アクリルニトリル共重合体、酢酸ビニル−アクリル酸エステル共重合体、アクリル酸−アクリル酸エステル共重合体、スチレン−アクリル酸共重合体、スチレン−メタクリル酸共重合体、スチレン−メタクリル酸−アクリル酸エステル共重合体、スチレン−α―メチルスチレン−アクリル酸共重合体、スチレン−α―メチルスチレン−アクリル酸−アクリル酸エステル共重合体、スチレン−マレイン酸共重合体、スチレン−無水マレイン酸共重合体、ビニルナフタレン−アクリル酸共重合体、ビニルナフタレン−マレイン酸共重合体、酢酸ビニル−マレイン酸エステル共重合体、酢酸ビニル−クロトン酸共重合体、酢酸ビニル−アクリル酸共重合体等およびこれらの塩が挙げられる。これらの中で、特に疎水性官能基を有するモノマーと親水性官能基を有するモノマーとの共重合体、疎水性官能基と親水性官能基とを併せ持つモノマーからなる重合体が好ましい。共重合体の形態としては、ランダム共重合体、ブロック共重合体、交互共重合体、グラフト共重合体のいずれの形態でも用いることができる。
【００９２】
上記の塩としては、アンモニア、エチルアミン、ジエチルアミン、トリエチルアミン、プロピルアミン、イソプロピルアミン、ジプロピルアミン、ブチルアミン、イソブチルアミン、ジエタノールアミン、トリエタノールアミン、トリ−ｉｓｏ−プロパノールアミン、アミノメチルプロパノール、モルホリン等の塩基性化合物との塩が挙げられる。これら塩基性化合物の添加量は、上記樹脂分散剤の中和当量以上であれば特に制限はない。
【００９３】
上記樹脂分散剤の分子量は、重量平均分子量として１，０００〜１００，０００の範囲であることが好ましく、３，０００〜１０，０００の範囲であることがより好ましい。分子量が上記範囲であることにより、着色剤の水中での安定的な分散が得られ、またインクに適用した際の粘度制御等がしやすい。
【００９４】
以上述べた樹脂分散剤としては市販品を用いることもできる。詳しくは、ジョンクリル６７（重量平均分子量：１２，５００、酸価：２１３）、ジョンクリル６７８（重量平均分子量：８，５００、酸価：２１５）、ジョンクリル５８６（重量平均分子量：４，６００、酸価：１０８）、ジョンクリル６１１（重量平均分子量：８，１００、酸価：５３）、ジョンクリル６８０（重量平均分子量：４，９００、酸価：２１５）、ジョンクリル６８２（重量平均分子量：１，７００、酸価：２３８）、ジョンクリル６８３（重量平均分子量：８，０００、酸価：１６０）、ジョンクリル６９０（重量平均分子量：１６，５００、酸価：２４０）（以上商品名、ＢＡＳＦジャパン株式会社製）等が挙げられる。
【００９５】
また、界面活性剤分散顔料に用いられる界面活性剤としては、アルカンスルホン酸塩、α−オレフィンスルホン酸塩、アルキルベンゼンスルホン酸塩、アルキルナフタレンスルホン酸塩、アシルメチルタウリン酸塩、ジアルキルスルホ琥珀酸塩、アルキル硫酸エステル塩、硫酸化オレフィン、ポリオキシエチレンアルキルエーテル硫酸エステル塩、アルキルリン酸エステル塩、ポリオキシエチレンアルキルエーテルリン酸エステル塩、モノグリセライトリン酸エステル塩等のアニオン性界面活性剤、アルキルピリジウム塩、アルキルアミノ酸塩、アルキルジメチルベタイン等の両性界面活性剤、ポリオキシエチレンアルキルエーテル、ポリオキシエチレンアルキルフェニルエーテル、ポリオキシエチレンアルキルエステル、ポリオキシエチレンアルキルアミド、グリセリンアルキルエステル、ソルビタンアルキルエステル等のノニオン性界面活性剤が挙げられる。
【００９６】
上記樹脂分散剤または上記界面活性剤の顔料に対する添加量は、顔料１００質量部に対して好ましくは１質量部〜１００質量部であり、より好ましくは５質量部〜５０質量部である。この範囲であることにより、顔料の水中への分散安定性が確保できる。
【００９７】
また、表面処理顔料としては、親水性官能基として、−ＯＭ、−ＣＯＯＭ、−ＣＯ−、−ＳＯ３Ｍ、−ＳＯ２ＮＨ２、−ＲＳＯ２Ｍ、−ＰＯ３ＨＭ、−ＰＯ３Ｍ２、−ＳＯ２ＮＨＣＯＲ、−ＮＨ３、−ＮＲ３（但し、式中のＭは、水素原子、アルカリ金属、アンモニウム又は有機アンモニウムを表し、Ｒは、炭素数１〜１２のアルキル基、置換基を有していてもよいフェニル基または置換基を有していてもよいナフチル基を示す。）等が挙げられる。これらの官能基は、顔料粒子表面に直接および／または他の基を介してグラフトされることによって、物理的および／または化学的に導入される。多価の基としては、炭素数が１〜１２のアルキレン基、置換基を有していてもよいフェニレン基又は置換基を有していてもよいナフチレン基等を挙げることができる。
【００９８】
また、前記の表面処理顔料としては、硫黄を含む処理剤によりその顔料粒子表面に−ＳＯ３Ｍおよび／または−ＲＳＯ２Ｍ（Ｍは対イオンであって、水素イオン、アルカリ金属イオン、アンモニウムイオン、又は有機アンモニウムイオンを示す。）が化学結合するように表面処理されたもの、すなわち、前記顔料が、活性プロトンを持たず、スルホン酸との反応性を有せず、顔料が不溶ないしは難溶である溶剤中に、顔料を分散させ、次いでアミド硫酸、又は三酸化硫黄と第三アミンとの錯体によりその粒子表面に−ＳＯ３Ｍおよび／または−ＲＳＯ２Ｍが化学結合するように表面処理され、水に分散および／または溶解が可能なものとされたものであることが好ましい。
【００９９】
前記官能基またはその塩を顔料粒子の表面に直接または多価の基を介してグラフトさせる表面処理手段としては、種々の公知の表面処理手段を適用することができる。例えば、市販の酸化カーボンブラックにオゾンや次亜塩素酸ソーダ溶液を作用し、カーボンブラックをさらに酸化処理してその表面をより親水化処理する手段（例えば、特開平７−２５８５７８号公報、特開平８−３４９８号公報、特開平１０−１２０９５８号公報、特開平１０−１９５３３１号公報、特開平１０−２３７３４９号公報）、カーボンブラックを３−アミノ−Ｎ−アルキル置換ピリジウムブロマイドで処理する手段（例えば、特開平１０−１９５３６０号公報、特開平１０−３３０６６５号公報）、有機顔料が不溶又は難溶である溶剤中に有機顔料を分散させ、スルホン化剤により顔料粒子表面にスルホン基を導入する手段（例えば、特開平８−２８３５９６号公報、特開平１０−１１０１１０号公報、特開平１０−１１０１１１号公報）、三酸化硫黄と錯体を形成する塩基性溶剤中に有機顔料を分散させ、三酸化硫黄を添加することにより有機顔料の表面を処理し、スルホン基又はスルホンアミノ基を導入する手段（例えば、特開平１０−１１０１１４号公報）等が挙げられるが、本発明で用いられる表面処理顔料のための作製手段はこれらの手段に限定されるものではない。
【０１００】
一つの顔料粒子にグラフトされる官能基は単一でも複数種であってもよい。グラフトされる官能基の種類及びその程度は、インク中での分散安定性、色濃度、及びヘッドにおける乾燥性等を考慮しながら適宜決定されてよい。
【０１０１】
以上述べた樹脂分散顔料、界面活性剤分散顔料、表面処理顔料を水中に分散させる方法としては、樹脂分散顔料については顔料と水と樹脂分散剤、界面活性剤分散顔料については顔料と水と界面活性剤、表面処理顔料については表面処理顔料と水、また各々に必要に応じて水溶性有機溶剤・中和剤等を加えて、ボールミル、サンドミル、アトライター、ロールミル、アジテータミル、ヘンシェルミキサー、コロイドミル、超音波ホモジナイザー、ジェットミル、オングミル等の従来用いられている分散機にて行うことができる。この場合、顔料の粒径としては、平均粒径で２０ｎｍ〜５００ｎｍの範囲になるまで、より好ましくは５０ｎｍ〜２００ｎｍの範囲になるまで分散することが、顔料の水中での分散安定性を確保する点で好ましい。
【０１０２】
（２）樹脂成分
本実施形態に係るメンテナンス液に適用可能なインクジェット記録装置に使用するインクは、水溶性および／または非水溶性の樹脂成分を含有する。該樹脂成分は、インクを固化させ、さらにインク固化物を記録媒体上に強固に定着させる作用を有する。樹脂成分は、インク中に溶解された状態またはインク中に分散された状態のいずれの状態であってもよい。溶解状態の樹脂成分としては、本実施形態に係るメンテナンス液に適用可能なインクジェット記録装置に使用するインクの着色剤として顔料を分散させる場合に使用する上記の樹脂分散剤を用いることができる。また、分散状態の樹脂としては、本実施形態に係るメンテナンス液に適用可能なインクジェット記録装置に使用するインクの液媒体に難溶あるいは不溶である樹脂成分を、微粒子状にして分散させて（すなわちエマルジョン状態、あるいはサスペンジョン状態にして）含ませることができる。
【０１０３】
上記の樹脂成分としては、ポリアクリル酸エステルもしくはその共重合体、ポリメタクリル酸エステルもしくはその共重合体、ポリアクリロニトリルもしくはその共重合体、ポリシアノアクリレート、ポリアクリルアミド、ポリアクリル酸、ポリメタクリル酸、ポリエチレン、ポリプロピレン、ポリブテン、ポリイソブチレン、ポリスチレンもしくはそれらの共重合体、石油樹脂、クロマン・インデン樹脂、テルペン樹脂、ポリ酢酸ビニルもし
くはその共重合体、ポリビニルアルコール、ポリビニルアセタール、ポリビニルエーテル、ポリ塩化ビニルもしくはその共重合体、ポリ塩化ビニリデン、フッ素樹脂、フッ素ゴム、ポリビニルカルバゾール、ポリビニルピロリドンもしくはその共重合体、ポリビニルピリジン、ポリビニルイミダゾール、ポリブタジエンもしくはその共重合体、ポリクロロプレン、ポリイソプレン、天然樹脂等が挙げられる。この中で、特に分子構造中に疎水性部分と親水性部分とを併せ持つものが好ましい。
【０１０４】
上記の樹脂成分を微粒子状態で得るには、以下に示す方法で得られ、そのいずれの方法でもよく、必要に応じて複数の方法を組み合わせてもよい。その方法としては、所望の樹脂成分を構成する単量体中に重合触媒（重合開始剤）と分散剤とを混合して重合（すなわち乳化重合）する方法、親水性部分を持つ樹脂成分を水溶性有機溶剤に溶解させその溶液を水中に混合した後に水溶性有機溶剤を蒸留等で除去することで得る方法、樹脂成分を非水溶性有機溶剤に溶解させその溶液を分散剤と共に水溶液中に混合して得る方法等が挙げられる。上記の方法は、用いる樹脂成分の種類・特性に応じて適宜選択することができる。樹脂成分を分散する際に用いることのできる分散剤としては、特に制限はないが、アニオン性界面活性剤（例えば、ドデシルベンゼンスルホン酸ナトリウム塩、ラウリルリン酸ナトリウム塩、ポリオキシエチレンアルキルエーテルサルフェートアンモニウム塩等）、ノニオン性界面活性剤（例えば、ポリオキシエチレンアルキルエーテル、ポリオキシエチレンアルキルエステル、ポリオキシエチレンソルビタン脂肪酸エステル、ポリオキシエチレンアルキルフェニルエーテル等）を挙げることができ、これらを単独あるいは二種以上を混合して用いることができる。
【０１０５】
上記のような樹脂成分として、微粒子状態（エマルジョン形態、サスペンジョン形態）で用いる場合、公知の材料・方法で得られるものを用いることも可能である。例えば、特公昭６２−１４２６号公報、特開平３−５６５７３号公報、特開平３−７９６７８号公報、特開平３−１６００６８号公報、特開平４−１８４６２号公報等に記載のものを用いてもよい。また、市販品を用いることもでき、例えば、マイクロジェルＥ−１００２、マイクロジェルＥ−５００２（以上商品名、日本ペイント株式会社製）、ボンコート４００１、ボンコート５４５４（以上商品名、大日本インキ化学工業株式会社製）、ＳＡＥ１０１４（商品名、日本ゼオン株式会社製）、サイビノールＳＫ−２００（商品名、サイデン化学株式会社製）、ジョンクリル７１００、ジョンクリル３９０、ジョンクリル７１１、ジョンクリル５１１、ジョンクリル７００１、ジョンクリル６３２、ジョンクリル７４１、ジョンクリル４５０、ジョンクリル８４０、ジョンクリル７４Ｊ、ジョンクリルＨＲＣ−１６４５Ｊ、ジョンクリル７３４、ジョンクリル８５２、ジョンクリル７６００、ジョンクリル７７５、ジョンクリル５３７Ｊ、ジョンクリル１５３５、ジョンクリルＰＤＸ−７６３０Ａ、ジョンクリル３５２Ｊ、ジョンクリル３５２Ｄ、ジョンクリルＰＤＸ−７１４５、ジョンクリル５３８Ｊ、ジョンクリル７６４０、ジョンクリル７６４１、ジョンクリル６３１、ジョンクリル７９０、ジョンクリル７８０、ジョンクリル７６１０（以上商品名、ＢＡＳＦジャパン株式会社製）等が挙げられる。
【０１０６】
樹脂成分を微粒子状態で用いる場合、インクの保存安定性・吐出安定性を確保する点から、その平均粒径は５ｎｍ〜４００ｎｍの範囲が好ましく、より好ましくは５０ｎｍ〜２００ｎｍの範囲である。
【０１０７】
樹脂成分の含有量は、インク全量に対して、固形分換算で好ましくは０．１質量％以上１５質量％以下であり、より好ましくは０．５質量％以上１０質量％以下である。この範囲内であることにより、記録媒体上においても、本実施形態に係るメンテナンス液に適用可能なインクジェット記録装置に使用するインクを固化・定着させることができる。
【０１０８】
（３）水溶性有機溶媒
本実施形態に係るメンテナンス液に適用可能なインクジェット記録装置に使用するインクは、水溶性有機溶媒を含有する。インクには、複数種の水溶性有機溶媒が含有されていてもよい。なお、一般的に、インクに複数種の水溶性有機溶媒が含有されている場合には、複数種類の水溶性有機溶媒のうちで最も高沸点の有機溶媒の沸点によって、インクの保湿性や乾燥性が決まる場合が多い。
【０１０９】
後述するインク吸収性の記録媒体を用いる場合において、インクに含まれる水溶性有機溶媒の少なくとも一種類以上は、沸点が２５０℃以上であることが好ましい。インク吸収性の記録媒体は、記録媒体内にインクを吸収するので、インク中の顔料濃度を高くしないと、記録媒体上に形成された画像の発色性が低下する場合がある。一方、インク中の顔料濃度を高くすると、顔料が乾燥固化しやすくなる。そのため、顔料が乾燥固化することを防止するために、少なくとも一種類以上の水溶性有機溶媒の沸点が２５０℃以上のものを用いることが好ましい。
【０１１０】
また、後述するインク非吸収性の記録媒体を用いる場合において、インクに含まれる水溶性有機溶媒は、沸点が１００℃以上２５０℃未満であることが好ましい。水溶性有機溶媒の沸点が１００℃以上２５０℃未満であると、インク非吸収性の記録媒体上に吐出されたインクの乾燥性が良好であり、耐擦性に優れた画像を得ることができる。
【０１１１】
インクに用いる水溶性有機溶媒としては、１，２−アルカンジオール類、多価アルコール類、ピロリドン誘導体等が挙げられる。
【０１１２】
１，２−アルカンジオール類としては、例えば、１，２−プロパンジオール（沸点；１８８℃）、１，２−ブタンジオール（沸点；１９４℃）、１，２−ペンタンジオール（沸点；２０６℃）、１，２−ヘキサンジオール（沸点；２２３℃）、１，２−オクタンジオール（沸点；１３１℃）等が挙げられる。１，２−アルカンジオール類は、インク非吸収性の記録媒体に対するインクの濡れ性を高めて均一に濡らす作用に優れているため、記録媒体上に優れた画像を形成することができる。１，２−アルカンジオール類の含有量は、インクの全質量に対して、１質量％以上８質量％以下であることが好ましい。
【０１１３】
多価アルコール類としては、例えば、エチレングリコール（沸点；１９７℃）、ジエチレングリコール（沸点；２４４℃）、プロピレングリコール（沸点；１８８℃）、ジプロピレングリコール（沸点；２３２℃）、１，３−プロパンジオール（沸点；２１０℃）、１，４−ブタンジオール（沸点；２３０℃）、１，６−ヘキサンジオール（沸点；２０８℃）、グリセリン（沸点；２９０℃）等が挙げられる。これらの中でも、蒸気圧が高く、画像の乾燥を阻害しない観点から、エチレングリコール、ジエチレングリコール、プロピレングリコール、ジプロピレングリコールであることが好ましい。多価アルコール類は、ヘッドのノズル面でのインクの乾燥固化を抑制して目詰まりや吐出不良等を防止する作用を有するものであって、水分とともに蒸発飛散することが望ましい点から蒸気圧の高いものであることが好ましい。多価アルコール類の含有量は、インクの全質量に対して、２質量％以上２０質量％以下であることが好ましい。
【０１１４】
ピロリドン誘導体として、例えば、Ｎ−メチル−２−ピロリドン、Ｎ−エチル−２−ピロリドン、Ｎ−ビニル−２−ピロリドン、２−ピロリドン、Ｎ−ブチル−２−ピロリドン、５−メチル−２−ピロリドン等が挙げられる。ピロリドン誘導体は、熱可塑性樹脂の良好な溶解剤として作用する。ピロリドン誘導体の含有量は、インクの全質量に対して、３質量％以上２５質量％以下であることが好ましい。
【０１１５】
（４）界面活性剤
本実施形態に係るメンテナンス液に適用可能なインクジェット記録装置に用いるインクは、界面活性剤を含有することができる。界面活性剤としては、シリコン系界面活性剤、アセチレングリコール系界面活性剤等が挙げられる。
【０１１６】
シリコン系界面活性剤としては、ポリシロキサン系化合物等が好ましく用いられ、例えば、ポリエーテル変性オルガノシロキサン等が挙げられる。より詳しくは、ＢＹＫ−３０６、ＢＹＫ−３０７、ＢＹＫ−３３３、ＢＹＫ−３４１、ＢＹＫ−３４５、ＢＹＫ−３４６、ＢＹＫ−３４８（以上商品名、ビックケミー・ジャパン株式会社製）、ＫＦ−３５１Ａ、ＫＦ−３５２Ａ、ＫＦ−３５３、ＫＦ−３５４Ｌ、ＫＦ−３５５Ａ、ＫＦ−６１５Ａ、ＫＦ−９４５、ＫＦ−６４０、ＫＦ−６４２、ＫＦ−６４３、ＫＦ−６０２０、Ｘ−２２−４５１５、ＫＦ−６０１１、ＫＦ−６０１２、ＫＦ−６０１５、ＫＦ−６０１７（以上商品名、信越化学株式会社製）等が挙げられる。シリコン系界面活性剤は、インク非吸収性の記録媒体上でインクの濃淡ムラや滲みを生じないように均一に広げる作用を有している点で好ましい。シリコン系界面活性剤の含有量は、インク全質量に対して、０．１質量％以上１．５質量％以下であることが好ましい。
【０１１７】
アセチレングリコール系界面活性剤として、例えば、サーフィノール１０４、１０４Ｅ、１０４Ｈ、１０４Ａ、１０４ＢＣ、１０４ＤＰＭ、１０４ＰＡ、１０４ＰＧ−５０、１０４Ｓ、４２０、４４０、４６５、４８５、ＳＥ、ＳＥ−Ｆ、５０４、６１、ＤＦ３７、ＤＦ１１０Ｄ、ＣＴ１１１、ＣＴ１２１、ＣＴ１３１、ＣＴ１３６、ＴＧ、ＧＡ（以上全て商品名、Ａｉｒ  Ｐｒｏｄｕｃｔｓ  ａｎｄ  Ｃｈｅｍｉｃａｌｓ．  Ｉｎｃ．社製）、オルフィンＢ、Ｙ、Ｐ、Ａ、ＳＴＧ、ＳＰＣ、Ｅ１００４、Ｅ１０１０、ＰＤ−００１、ＰＤ−００２Ｗ、ＰＤ−００３、ＰＤ−００４、ＥＸＰ．４００１、ＥＸＰ．４０３６、ＥＸＰ．４０５１、ＡＦ−１０３、ＡＦ−１０４、ＡＫ−０２、ＳＫ−１４、ＡＥ−３（以上全て商品名、日信化学工業株式会社製）、アセチレノールＥ００、Ｅ００Ｐ、Ｅ４０、Ｅ１００（以上全て商品名、川研ファインケミカル株式会社製）等が挙げられる。アセチレングリコール系界面活性剤は、他の界面活性剤と比較して、表面張力および界面張力を適正に保つ能力に優れており、かつ起泡性がほとんどないという特性を有する。これにより、アセチレングリコール系界面活性剤を含有するインクは、表面張力およびヘッドノズル面等のインクと接触するプリンター部材との界面張力を適正に保つことができるため、これをインクジェット記録装置に適用した場合、吐出安定性を高めることができる。また、アセチレングリコール系界面活性剤を含有するインクは、インク非吸収性の記録媒体に対して良好な濡れ性・浸透性を示すため、インクの濃淡ムラや滲みの少ない高精細な画像を得ることができる。アセチレン系界面活性剤の含有量は、インクの全質量に対して、０．１質量％以上１．０質量％以下であることが好ましい。
【０１１８】
（５）水
本実施形態に係るメンテナンス液に適用可能なインクジェット記録装置に用いるインクは、水を含有する。水は、インクの主となる媒体であり、乾燥によって蒸発飛散する成分である。水は、イオン交換水、限外濾過水、逆浸透水、蒸留水等の純水または超純水のようなイオン性不純物を極力除去したものであることが好ましい。また、紫外線照射または過酸化水素添加等により滅菌した水を用いると、顔料分散液およびこれを用いたインクを長期保存する場合にカビやバクテリアの発生を抑制できるので好適である。
【０１１９】
（６）その他の含有成分
本実施形態に係るメンテナンス液に適用可能なインクジェット記録装置に用いるインクは、さらに、ｐＨ調整剤、ポリオレフィンワックス、防腐剤・防かび剤、防錆剤、キレート化剤等を含有してもよい。これらの材料を添加すると、インクの有する特性をさらに向上させる点から好ましい。
【０１２０】
ｐＨ調整剤としては、例えば、リン酸二水素カリウム、リン酸水素二ナトリウム、水酸化ナトリウム、水酸化リチウム、水酸化カリウム、アンモニア、ジエタノールアミン、トリエタノールアミン、トリイソプロパノールアミン、炭酸カリウム、炭酸ナトリウム、炭酸水素ナトリウム等が挙げられる。
【０１２１】
ポリオレフィンワックスとしては、例えば、エチレン、プロピレン、ブチレン等のオレフィンまたはその誘導体から製造したワックスおよびそのコポリマー、具体的には、ポリエチレン系ワックス、ポリプロピレン系ワックス、ポリブチレン系ワックス等が挙げられる。ポリオレフィンワックスとしては、市販されているものを利用することができ、具体的には、ノプコートＰＥＭ１７（商品名、サンノプコ株式会社製）、ケミパールＷ４００５（商品名、三井化学株式会社製）、ＡＱＵＡＣＥＲ５１５、ＡＱＵＡＣＥＲ５９３（以上商品名、ビックケミー・ジャパン株式会社製）等を用いることができる。
【０１２２】
ポリオレフィンワックスを添加すると、インク非吸収性の記録媒体上に形成された画像の物理的接触に対する滑り性を向上させることができ、画像の耐擦性を向上できる点から好ましい。ポリオレフィンワックスの含有量は、インクの全質量に対して、好ましくは０．０１質量％以上１０質量％以下であり、より好ましくは０．０５質量％以上１質量％以下である。ポリオレフィンワックスの含有量が、上記範囲にあると、上述の効果が十分に発揮される。
【０１２３】
防腐剤・防かび剤としては、例えば、安息香酸ナトリウム、ペンタクロロフェノールナトリウム、２−ピリジンチオール−１−オキサイドナトリウム、ソルビン酸ナトリウム、デヒドロ酢酸ナトリウム、１，２−ジベンジソチアゾリン−３−オン等が挙げられる。市販品では、プロキセルＸＬ２、プロキセルＧＸＬ（以上商品名、アビシア社製）や、デニサイドＣＳＡ、ＮＳ−５００Ｗ（以上商品名、ナガセケムテックス株式会社製）等が挙げられる。
【０１２４】
防錆剤としては、例えば、ベンゾトリアゾール等が挙げられる。
【０１２５】
キレート化剤としては、例えば、エチレンジアミン四酢酸およびそれらの塩類（エチレンジアミン四酢酸二水素二ナトリウム塩等）等が挙げられる。
【０１２６】
３．メンテナンス液
本実施形態に係るメンテナンス液は、水と、水溶性有機溶媒と、を含む。本実施形態に係るメンテナンス液は、上述したインクジェット記録装置１００に適用する場合において、第１キャップ装置４０および第３キャップ装置２００に供給される。これにより、ヘッド１６の吐出面Ｓ２が第１キャップ装置４０によって覆われた際に、メンテナンス液が第１キャップ装置４０内で蒸発することによって、ヘッド１６の吐出面Ｓ２を保湿することができる。また、同様に、第２キャップ装置３００が第３キャップ装置２００に覆われた際に、メンテナンス液が第３キャップ装置２００内で蒸発することによって、第２キャップ装置３００を保湿することができる。
【０１２７】
以下、本発明に係るインクジェット記録装置に用いるメンテナンス液について詳細に説明する。
【０１２８】
（１）水溶性有機溶媒
本実施形態に係るメンテナンス液は、水溶性有機溶媒を含有する。本実施形態に係るメンテナンス液に含まれる水溶性有機溶媒の沸点は、上述した複数種のインクにおいて、それぞれのインクに含まれる最も沸点の高い水溶性有機溶媒のうち、最も沸点の低い水溶性有機溶媒の沸点以下である。
【０１２９】
例えば、複数種のインクが、インク吸収性の記録媒体に用いる第１インクと、インク非吸収性の記録媒体に用いる第２インクと、からなる場合について説明する。上述したように、インク非吸収性の記録媒体に用いる第２インクに含まれる最も沸点の高い水溶性有機溶媒の沸点は、インク吸収性の記録媒体に用いる第１インクに含まれる最も沸点の高い水溶性有機溶媒の沸点よりも低くなる。
【０１３０】
このような場合、ヘッドの吐出面（ノズルを備えた面）をキャップ装置で保湿している際に、インクに含まれる水溶性有機溶媒の沸点の違いから、第２インクの水分が第１インクの水溶性有機溶媒によって吸収される場合がある。また、キャップ装置に供給されるメンテナンス液に含まれる水溶性有機溶媒の沸点が、第２インクに含まれる最も沸点の高い水溶性有機溶媒の沸点を超えると、ヘッドの吐出面（ノズルを備えた面）をキャップ装置によって保湿しているのにもかかわらず、第２インクの水分がメンテナンス液の水溶性有機溶媒によって吸収される場合がある。
【０１３１】
したがって、メンテナンス液に含まれる水溶性有機溶媒に、第２インクに含まれる最も沸点の高い水溶性有機溶媒の沸点以下のものを用いることにより、ヘッドの吐出面におけるインクの増粘を防止でき、ノズルの目詰まりや、キャップ装置の動作不良を低減することができる。
【０１３２】
本実施形態に係るメンテナンス液に含まれる水溶性有機溶媒の沸点は、上述した複数種のインクにおいて、それぞれのインクに含まれる最も沸点の高い水溶性有機溶媒のうち、最も沸点の低い水溶性有機溶媒の沸点と同一であることが好ましい。これにより、メンテナンス液に含まれる水溶性有機溶媒がインクに混入しても、インクの機能を損なうことを低減することができる。また、ノズルの目詰まりや、キャップ装置の動作不良を低減しつつ、できる限り沸点の高い水溶性有機溶媒をメンテナンス液に添加することができるので、メンテナンス液の蒸発を抑えることができる。したがって、例えば水のみを使用したメンテナンス液と比較して、メンテナンス液を補充する頻度を減らすことができる。
【０１３３】
また、メンテナンス液に含まれる水溶性有機溶媒は、上述したインクにおける水溶性有機溶媒において例示した材料と同一のものを用いることができるが、メンテンス液の防腐性を高めるという観点から、アルカンジオールおよびアルキレングリコールモノエーテル誘導体から選択される少なくとも１種であることが好ましい。このように、アルカンジオールや、アルキレングリコールモノエーテル誘導体を用いると、メンテナンス液が防腐力に優れたものになる。そのため、キャップ装置内のクリーニング等の保守作業の回数を減らすことができる。
【０１３４】
また、水溶性有機溶媒を含有するメンテナンス液は、水のみからなるメンテナンス液と比較して表面張力が低いので、キャップ装置にメンテナンス液を供給するためのチューブへの濡れ性が高くなる。これにより、メンテナンス液の供給性を向上させることができる。
【０１３５】
アルカンジオールとしては、例えば、１，２−プロパンジオール（沸点；１８８℃）、１，２−ペンタンジオール（沸点；２０６℃）、１，２−ヘキサンジオール（沸点；２２３℃）、１，６−ヘキサンジオール（沸点；２５０℃）、２，２−ジメチルプロパン−１，３−ジオール（ネオペンチルグリコール）（沸点；２１０℃）等が挙げられる。
【０１３６】
アルキレングリコールモノエーテル誘導体として、例えば、エチレングリコールモノメチルエーテル（沸点；１２５℃）、ジエチレングリコールモノメチルエーテル（沸点；１９３℃）、エチレングリコールモノブチルエーテル（沸点；１７１℃）、ジエチレングリコールモノブチルエーテル（沸点；２３０℃）、プロピレングリコールモノメチルエーテル（沸点；１２１℃）等が挙げられる。
【０１３７】
これらの中でも、水への溶解性および防腐性に優れているという観点から、１，２−ヘキサンジオールを用いることがより好ましい。
【０１３８】
メンテナンス液の全質量に対する上記水溶性有機溶媒の含有量は、好ましくは０．０５質量％以上５質量％以下であり、より好ましくは０．１質量％以上５質量％以下であり、特に好ましくは１質量％以上５質量％以下である。上記水溶性有機溶媒の含有量が０．０５質量％未満の場合、メンテナンス液の保湿力が得られないことがある。一方、上記水溶性有機溶媒の含有量が５質量％を超えると、保湿のための水分が蒸発した後に残留した上記水溶性有機溶媒が徐々に蓄積されていき、濃縮された水溶性有機溶媒によってヘッドおよびヘッド周辺を構成する部材を腐食させるおそれがある。
【０１３９】
また、本実施形態に係るメンテナンス液に含まれる水溶性有機溶媒は、上述した複数種のインクにおいて、それぞれのインクに含まれる最も沸点の高い水溶性有機溶媒のうち、最も沸点の低い水溶性有機溶媒の沸点以下であって、かつ、沸点が２５０℃未満であることが好ましい。沸点が２５０℃以上の水溶性有機溶媒は、インクの水分を吸収しやすく、ヘッドの吐出面付近のインクを増粘させる作用が高いためである。
【０１４０】
なお、本実施形態に係るメンテナンス液は、複数種の水溶性有機溶媒を含有していてもよい。この場合において、メンテナンス液の保湿力は、複数種の水溶性有機溶媒のうち最も高沸点の水溶性有機溶媒の沸点によって決定される。
【０１４１】
沸点が２５０℃以上の水溶性有機溶媒としては、例えばグリセリンを挙げることができる。グリセリンのような吸湿性の高い高沸点有機溶媒を添加したメンテナンス液を含むキャップ装置を長期間放置すると、キャップ装置内のメンテナンス液から水分が蒸発することにより、キャップ装置内のグリセリンが濃縮される。このような濃縮されたグリセリンがキャップ内に存在すると、ヘッドの吐出面やキャップ装置に付着したインクから水分を吸収して、ノズルの目詰まりや、キャップ装置の動作不良の原因となる。また、グリセリンは、防腐性が乏しくカビや菌類を繁殖させやすいので、メンテナンス液に含有しないことが好ましい。
【０１４２】
（２）水
本実施形態に係るメンテナンス液は、水を含有する。水は、メンテナンス液の保湿力を発揮するための主成分である。メンテナンス液の全質量に対する水の含有量は、好ましくは９５質量％以上、より好ましくは９９質量％以上である。
【０１４３】
（３）ｐＨ調整剤
本実施形態に係るメンテナンス液は、ｐＨ調整剤を含有してもよい。詳細は後述するが、キャップ装置を構成する部材の材質に応じてメンテナンス液にｐＨ調整剤を添加してｐＨを制御することにより、キャップ装置を構成する部材の腐食等を防ぐことができる。例えば、キャップ装置を構成する部材の材質がアルミニウムまたはアルミニウム合金である場合、強酸性または強アルカリ性のメンテナンス液ではキャップ装置が腐食するおそれがあるが、ｐＨ調整剤を添加してｐＨを５．０以上９．０以下の範囲に設定することにより、キャップ装置の腐食を防ぐことができる。
【０１４４】
ｐＨ調整剤として、例えば、トリイソプロパノールアミン、トリエタノールアミン、トリイソプロパノールアミン等のアルコールアミン類であることが好ましい。
【０１４５】
（４）水溶性着色剤
本実施形態に係るメンテナンス液は、水溶性着色剤を含有してもよい。水溶性着色剤は、メンテナンス液を着色する目的で添加される。メンテナンス液を着色することにより、光学センサーを利用した検知手段によりメンテナンス液がキャップ装置内に必要量充填されているか否かの検知が容易となる。また、メンテナンス液の液漏れ等のトラブルが発生したときに視認性に優れるため原因を特定しやすい。
【０１４６】
水溶性着色剤は、メンテナンス液を着色することができればよく、色の種類も特に限定されない。水溶性着色剤は、例えば、直接染料、酸性染料、塩基性染料等の染料であることが好ましい。
【０１４７】
メンテナンス液に水溶性着色剤を添加する場合において、水溶性着色剤の含有量は、メンテナンス液全質量に対して、好ましくは０．０００１質量％以上１質量％以下であり、より好ましくは０．０００５質量％以上０．１質量％以下である。水溶性着色剤の含有量が０．０００１質量％未満の場合、メンテナンス液への着色が不十分となる。一方、水溶性着色剤の含有量が１質量％を超えると、保湿のための水分が蒸発した後に残留した水溶性着色剤が、キャップ装置内に堆積し、キャップ装置の機能を損ねてしまうおそれがある。
【０１４８】
（５）ｐＨ
本実施形態に係るメンテナンス液のｐＨは、キャップ装置を構成する部材に応じて任意に設定することができるが、該部材がアルミニウムまたはアルミニウム合金である場合には、５．０以上９．０以下の範囲内であることが好ましい。ｐＨを５．０以上９．０以下の範囲に設定することにより、アルミニウムまたはアルミニウム合金の部材から構成されるキャップ装置の腐食を防ぐことができる。
【０１４９】
４．記録媒体
本実施形態に係るメンテナンス液に適用可能なインクジェット記録装置は、記録媒体上にインクを吐出する。本実施形態に係るメンテナンス液に適用可能なインクジェット記録装置に用いる記録媒体としては、例えば、インク非吸収性、インク吸収性のものが挙げられる。
【０１５０】
インク非吸収性の記録媒体としては、記録媒体表面でインク吸収しないものであればよく、例えば、プラスチックフィルム、紙等の基材上にプラスチックがコーティングされているものやプラスチックフィルムが接着されているもの等が挙げられる。ここでいうプラスチックとしては、ポリ塩化ビニル、ポリエチレンテレフタレート、ポリカーボネート、ポリスチレン、ポリウレタン、ポリエチレン、ポリプロピレン等が挙げられる。インク吸収性の記録媒体としては、記録媒体表面でインク吸収するものであればよく、例えば、普通紙、アート紙、コート紙等が挙げられる。
【０１５１】
５．実施例
以下、本発明を実施例によって詳細に説明するが、本発明はこれに限定されるものではない。
【０１５２】
５．１．顔料分散液の調製
（１）顔料分散液ｂ１、ｙ１、ｍ１、ｃ１、ｏ１、ｇ１の調製
カーボンブラック顔料としてＭＡ８商品名：三菱化学社製２０質量部と、３０％アンモニア水溶液（中和剤）１．５質量部を溶解させたイオン交換水７６質量部と、樹脂分散剤としてアクリル酸−アクリル酸エステル共重合体（重量平均分子量：２５，０００、酸化：１８０）７．５質量部とをよく混合撹拌した後、さらにジルコニアビーズによるボールミルにて１０時間分散処理を行った。得られた分散原液を孔径１０μｍのステンレス製メッシュフィルターで濾過して不純物を除去し、顔料濃度が２０質量％となるように調整してブラック顔料分散液ｂ１を得た。
【０１５３】
以下、カーボンブラック顔料を使用する代わりに、Ｃ．Ｉ．ピグメントイエロー１８０、Ｃ．Ｉ．ピグメントレッド１２２、Ｃ．Ｉ．ピグメントブルー１５：３、Ｃ．Ｉ．ピグメントオレンジ４３、Ｃ．Ｉ．ピグメントグリーン３６を使用して、それぞれイエロー顔料分散液ｙ１、マゼンタ顔料分散液ｍ１、シアン顔料分散液ｃ１、オレンジ顔料分散液ｏ１、グリーン顔料分散液ｇ１を得た。
【０１５４】
（２）顔料分散液ｂ２の調製
カーボンブラック顔料としてカラーブラックＳ１７０商品名：デグサ・ヒュルス社製１０質量部を水に混合して１００質量部としたものを用いて、ジルコニアビーズによるボールミルにてカーボンブラック顔料を粉砕した。この粉砕原液に次亜塩素酸ナトリウム（有効塩素濃度１２％）１４０質量部を滴下して、ボールミルで粉砕しながら５時間反応させ、さらに攪拌しながら４時間煮沸して湿式酸化を行った。得られた分散原液を孔径１０μｍのステンレス製メッシュフィルターで濾過して、さらに水で洗浄した。得られたウェットケーキを水５００質量部に再分散して、逆浸透膜により電導度が２ｍＳ／ｃｍになるまで脱塩および精製し、さらに顔料濃度が２０質量％になるように調整して分散液ｂ２を得た。
【０１５５】
５．２．インク組成物の調製
上記顔料分散液を用いて、表１に示す配合割合で各成分を混合して、この混合液を２時間攪拌した後、孔径１０μｍのメンブレンフィルターにて濾過することにより調製した。これにより、インク組成物Ｂ１、Ｂ２、Ｙ１、Ｍ１、Ｃ１、Ｏ１、Ｇ１を得た。なお、表１中に示す数値の単位は、重量％である。
【０１５６】
【表１】
2011224943.tif 000003
【０１５７】
５．３．メンテナンス液の調製
（１）メンテナンス液Ａ１
１，２−プロパンジオール（沸点；１８８℃）を５質量％、Ｃ．Ｉ．アシッドブルー９を０．１質量％、トリエタノールアミンを０．０１重量％、および純水９４．８９質量％をよく攪拌混合し、メンテナンス液Ａ１を得た。
【０１５８】
（２）メンテナンス液Ａ２
１，２−ヘキサンジオール（沸点；２２３℃）を１質量％、Ｃ．Ｉ．ダイレクトレッド１８９を０．０００５質量％、トリエタノールアミンを０．０１質量％、および純水９８．９８９５質量％をよく攪拌混合し、メンテナンス液Ａ２を得た。
【０１５９】
（３）メンテナンス液Ａ３
プロピレングリコールモノメチルエーテル（沸点；１２１℃）を２．５質量％、Ｃ．Ｉ．アシッドグリーン２５を０．０５質量％、トリエタノールアミンを０．０５質量％、および純水９７．４４質量％をよく攪拌混合し、メンテナンス液Ａ３を得た。
【０１６０】
（４）メンテナンス液Ａ４
純水をメンテナンス液Ａ４とした。
【０１６１】
（５）メンテナンス液Ａ５
グリセリン（沸点；２９０℃）５質量％および純水９５質量％をよく攪拌混合し、メンテナンス液Ａ５を得た。
【０１６２】
５．４．インクジェット記録装置
評価試験に用いたインクジェット記録装置としては、インクジェットプリンター（セイコーエプソン株式会社製、製品名「ＰＸ−Ｇ５３００」）を図１に示したインクジェット記録装置と同様の構成となるように改造したものを用いた。具体的には、第１キャップ装置、第２キャップ装置、第３キャップ装置、第１メンテナンス液供給装置、および第２メンテンス液供給装置等を有するように、インクジェットプリンター（セイコーエプソン株式会社製、製品名「ＰＸ−Ｇ５３００」）を改造して、インクジェットプリンターＸを得た。
【０１６３】
インクジェットプリンターＸに、上記「５．２．インク組成物の調製」で得られたインク組成物Ｂ１、Ｂ２、Ｙ１、Ｍ１、Ｃ１、Ｏ１、およびＧ１を、それぞれインクカートリッジに充填した。そして、上記「５．３．メンテナンス液の調製」で得られたメンテナンス液Ａ１〜Ａ５のいずれかを、第１メンテナンス液供給装置および第２メンテナンス液供給装置に供給した。
【０１６４】
５．５．評価試験
５．５．１．放置乾燥評価
本評価試験では、メンテナンス液Ａ１〜Ａ５のそれぞれを用いて、インクジェットプリンターＸを長期間放置した場合における、第１キャップ装置と第２キャップ装置との乾燥状態を調査した。評価は以下の手順で実施した。
【０１６５】
まず、待機状態（図２の状態）のインクジェットプリンターＸを操作して、吸引回復処理を実行した（図４から図５の操作）。次いで、吸引回復処理により吐出ヘッドのクリーニング処理を実行後、ノズルチェックパターンを記録媒体（ラミーコーポレーション株式会社製、製品名「コールドラミネートフィルムＰＧ−５０Ｌ」）上に印刷して、全ノズルからインクが吐出することを確認した。全ノズルからインクが吐出することを確認したら、待機状態（図２の状態）に戻し、インクジェットプリンターＸの電源をオフにして、インクジェットプリンターＸを室温４０℃で３０日間放置した。
【０１６６】
３０日間の放置後、インクジェットプリンターＸの電源を入れて、まず、吐出ヘッドのノズルチェックパターンを記録媒体（ラミーコーポレーション株式会社製、製品名「コールドラミネートフィルムＰＧ−５０Ｌ」）上に印刷した（以下、「ａ．電源オン直後のノズルチェック」ともいう。）。
【０１６７】
続いて、吸引回復処理の操作を実行した後、再度ノズルチェックパターンを印刷した（以下、「ｂ．吸引回復処理操作後のノズルチェック」ともいう。）。そして、待機状態に戻してインクジェットプリンターＸの電源をオフにした。
【０１６８】
また、インクジェットプリンターＸの放置期間を、６０日、９０日として、それぞれ上記と同様の放置乾燥評価を行った。
【０１６９】
評価の判定基準の分類については、以下の通りであり、「ｂ．吸引回復処理操作後のノズルチェック評価」がＡであれば実用上問題なく使用できる。
＜ａ．電源オン直後のノズルチェック評価＞
Ａ：全ノズルからインクが吐出する。
Ｂ：インクが吐出しないノズル有り。
＜ｂ．吸引回復処理操作後のノズルチェック評価＞
Ａ：全ノズルからインクが吐出する。
Ｂ：インクが吐出しないノズル有り。
【０１７０】
５．５．２．保存性評価
上記放置乾燥評価後の第３キャップ装置内に残ったメンテナンス液Ａ１〜Ａ５について、それぞれ５０ｇを孔径５μｍのメンブレンフィルターで濾過して、フィルター上に残ったカビや微生物の発生状況をデジタルマイクロスコープ（キーエンス株式会社製、製品名「ＶＨＸ−２００」）で確認した。評価の判定基準は以下の通りであり、Ｂの評価で実用上問題なく使用できる。
Ａ：５０ｇ全量を濾過でき、フィルター上にカビや微生物が確認できない。
Ｂ：５０ｇ全量を濾過できるが、フィルター上に少量のカビや微生物が確認できた。
Ｃ：５０ｇ全量を濾過できず、かつ、フィルター上にカビや微生物が確認できた。
【０１７１】
５．６．評価結果
以上の評価試験の結果について、表２に記載した。
【０１７２】
【表２】
2011224943.tif 000004
【０１７３】
表２に示すように、実施例１〜実施例３のメンテナンス液Ａ１〜Ａ３を用いて第１キャップ装置内および第２キャップ装置を保湿すると、インクジェット記録装置を長期放置しても、ノズルの詰まりが発生しない、もしくはノズルの詰まりが発生しても吸引回復処理により、ノズルの詰まりを解消できることが確認できた。また、実施例１〜実施例３のメンテンス液Ａ１〜Ａ３は、防腐性に優れていることが確認できた。
【０１７４】
表２に示すように、比較例１および比較例２のメンテナンス液Ａ４およびＡ５を用いて第１キャップ装置内および第２キャップ装置を保湿しても、インクジェット記録装置を長期放置すると、装置の特性が維持できなかった。
【０１７５】
詳細に説明すると、比較例１のメンテナンス液Ａ４を用いると、３０日間の放置で第１キャップ装置が乾燥して、電源オン直後のノズルチェック評価ではノズル詰まりが存在したが、吸引回復処理によりノズル詰まりが解消した。しかしながら、６０日間の放置後は、第１メンテナンス液タンクが空になったため、第１キャップ装置にメンテナンス液が供給されなくなり、高い保湿性を有するグリセリンを含むインク組成物Ｂ２を除いて、ノズル詰まりが発生して、吸引回復処理によってもノズル詰まりを回復することができなかった。また、同様に９０日間の放置後においても、６０日間の放置と同様であった。これにより、第１キャップ装置および第２キャップ装置とも、装置の特性を発揮できなくなった。
【０１７６】
比較例２のメンテナンス液Ａ５は、３０日間の放置後において、第１キャップ装置内および第２キャップ装置ともに乾燥していなかった。また、６０日間の放置後には、一部のノズルで詰まりが発生したが、吸引回復処理によりノズル詰まりが解消した。しかしながら、９０日間の放置後において、第３キャップ装置内のメンテナンス液Ａ５に含まれるグリセリンが濃縮して、第２キャップ装置の残留インクから水分を吸収して残留インクが増粘固化した為、高い保湿性を有するグリセリンを含むインク組成物Ｂ２を除いて、吸引回復処理が不可能となった。
【０１７７】
また、比較例１および比較例２のメンテナンス液Ａ４およびＡ５は、防腐性に優れないことが確認できた。
【０１７８】
本発明は、上述した実施形態に限定されるものではなく、種々の変形が可能である。例えば、本発明は、実施形態で説明した構成と実質的に同一の構成（例えば、機能、方法および結果が同一の構成、あるいは目的および効果が同一の構成）を含む。また、本発明は、実施形態で説明した構成の本質的でない部分を置き換えた構成を含む。また、本発明は、実施形態で説明した構成と同一の作用効果を奏する構成または同一の目的を達成することができる構成を含む。また、本発明は、実施形態で説明した構成に公知技術を付加した構成を含む。
【符号の説明】
【０１７９】
１０  フレーム、１２  キャリッジ、１４  インクカートリッジ、１６  ヘッド、１８  タイミングベルト、２０  キャリッジモーター、２２  ガイド部材、２４  プラテン、４０  第１キャップ装置、４２  キャップホルダ、４４  キャップ部、４６，２０６  吸収材、４８ａ，４８ｂ  支持部材、６０  第１メンテナンス液タンク、６２，４０２  チューブ、７０  第１メンテナンス液タンク昇降手段、１００  インクジェット記録装置、２００  第３キャップ装置、２０２  キャップホルダ、２０４  キャップ部、２０８ａ  支持部材、２０８ｂ  支持部材、３００  第２キャップ装置、３０５  支持部材、３１０  吸引用チューブ、３２０  吸引装置、４００  第２メンテナンス液タンク、４１０  第２メンテナンス液タンク昇降手段、５００  移動機構、５５０  スライド用孔
【図１】
2011224943.tif 000005
【図２】
2011224943.tif 000006
【図３】
2011224943.tif 000007
【図４】
2011224943.tif 000008
【図５】
2011224943.tif 000009